(57)【要約】【課題】音質が悪化することなく、音楽再生を可能とすること。【解決手段】音楽再生装置１は、アナログ音声信号ラインとシャーシグラウンドとの間に接続されたコンデンサ６、７と、コンデンサ６、７とシャーシグラウンドとの間に接続されたＭＯＳＦＥＴ８、９と、マイクロコンピューター２と、を備える。マイクコンピューター２は、出力するボリュームが小さい場合、ＭＯＳＦＥＴ８、９をオフする。また、マイクロコンピューター２は、出力するボリュームが大きい場合、ＭＯＳＦＥＴ８、９をオンする。【選択図】図１
2020005133.tif 000002
【特許請求の範囲】
【請求項１】
アナログ音声信号ラインと基準電位との間に接続されたコンデンサと、
前記コンデンサと前記基準電位との間に接続されたスイッチと、
制御部と、を備え、
前記制御部は、出力する音量が小さい場合、前記スイッチをオフすることを特徴とする音楽再生装置。
【請求項２】
前記制御部は、出力する音量が大きい場合、前記スイッチをオンすることを特徴とする音楽再生装置。
【請求項３】
アナログ音声信号ラインと基準電位との間に接続されたコンデンサと、
前記コンデンサと前記基準電位との間に接続されたスイッチと、
音声信号を増幅する増幅部と、
制御部と、を備え、
前記制御部は、前記増幅部からの出力レベルが小さい場合、前記スイッチをオフすることを特徴とする音楽再生装置。
【請求項４】
前記制御部は、前記増幅部からの出力レベルが大きい場合、前記スイッチをオンすることを特徴とする請求項３に記載の音楽再生装置。
【請求項５】
前記スイッチは、ｎ型のＭＯＳＦＥＴであることを特徴とする請求項１〜４のいずれか１項に記載の音楽再生装置。
【請求項６】
前記制御部は、前記ＭＯＳＦＥＴのゲートに接続され、前記ＭＯＳＦＥＴをオフする場合、ゲートの電位をローとし、前記ＭＯＳＦＥＴをオンする場合、ゲートの電位をハイとすることを特徴とする請求項５に記載の音楽再生装置。
【発明の詳細な説明】
【技術分野】
【０００１】
本発明は、音楽を再生する音楽再生装置に関する。
【背景技術】
【０００２】
音楽を再生する音楽再生装置等の電子機器には、ＥＭＣ（Electro Magnetic Compatibility）対策が施されている場合がある。例えば、特許文献１には、シグナルグラウンドとフレームグラウンドとの間に複数のコンデンサを並列に実装することで、ＥＭＣ対策を行うことが開示されている。音楽再生装置においては、図６に示すように、ＥＭＣ（主に、不要輻射）のため、アナログ音声信号ラインにバイパスコンデンサが追加されている。バイパスコンデンサは、シャーシグラウンド（基準電位）に接続されている。
【先行技術文献】
【特許文献】
【０００３】
【特許文献１】特開２００９−１４６９６２号公報
【発明の概要】
【発明が解決しようとする課題】
【０００４】
上記のように、バイパスコンデンサを追加すると、音質が悪化してしまうことが多い。しかしながら、バイパスコンデンサを追加しなければ、不要輻射測定時の高めの出力レベルでは、デジタルアンプの高周波ノイズにより、規格値オーバーとなってしまう。しかし、一般家庭で使用するような低めの出力レベルでは、ノイズの輻射は少なく、規格値オーバーにはならない。よって、追加したバイパスコンデンサは、小音量での使用においては、無駄な音質悪化要因となっている。
【０００５】
本発明の目的は、音質が悪化することなく、音楽再生を可能とすることである。
【課題を解決するための手段】
【０００６】
第１の発明の音楽再生装置は、アナログ音声信号ラインと基準電位との間に接続されたコンデンサと、前記コンデンサと前記基準電位との間に接続されたスイッチと、制御部と、を備え、前記制御部は、出力する音量が小さい場合、前記スイッチをオフすることを特徴とする。
【０００７】
本発明では、制御部は、出力する音量が小さい場合、スイッチをオフする。これにより、アナログ音声信号ラインと基準電位との間に接続されたコンデンサが使用されないため、音質が悪化することがない。
【０００８】
第２の発明の音楽再生装置は、第１の発明の音楽再生装置において、前記制御部は、出力する音量が大きい場合、前記スイッチをオンすることを特徴とする。
【０００９】
本発明では、制御部は、出力する音量が大きい場合、スイッチをオンする。これにより、アナログ音声信号ラインと基準電位との間に接続されたコンデンサが使用されるため、アナログ音声信号ラインから、高周波ノイズが放射することが防止される。
【００１０】
第３の発明の音楽再生装置は、アナログ音声信号ラインと基準電位との間に接続されたコンデンサと、前記コンデンサと前記基準電位との間に接続されたスイッチと、音声信号を増幅する増幅部と、制御部と、を備え、前記制御部は、前記増幅部からの出力レベルが小さい場合、前記スイッチをオフすることを特徴とする。
【００１１】
本発明では、制御部は、増幅部からの出力レベルが小さい場合、スイッチをオフする。これにより、アナログ音声信号ラインと基準電位との間に接続されたコンデンサが使用されないため、音質が悪化することがない。
【００１２】
第４の発明の音楽再生装置は、第３の発明の音楽再生装置において、前記制御部は、前記増幅部からの出力レベルが大きい場合、前記スイッチをオンすることを特徴とする。
【００１３】
本発明では、制御部は、増幅部からの出力レベルが大きい場合、スイッチをオンする。これにより、アナログ音声信号ラインと基準電位との間に接続されたコンデンサが使用されるため、アナログ音声信号ラインから、高周波ノイズが放射することが防止される。
【００１４】
第５の発明の音楽再生装置は、第１〜第４のいずれかの発明の音楽再生装置において、前記スイッチは、ｎ型のＭＯＳＦＥＴであることを特徴とする。
【００１５】
第６の発明の音楽再生装置は、第５の発明の音楽再生装置において、前記制御部は、前記ＭＯＳＦＥＴのゲートに接続され、前記ＭＯＳＦＥＴをオフする場合、ゲートの電位をローとし、前記ＭＯＳＦＥＴをオンする場合、ゲートの電位をハイとすることを特徴とする。
【発明の効果】
【００１６】
本発明によれば、音質が悪化することなく、音楽を再生することができる。
【図面の簡単な説明】
【００１７】
【図１】本発明の実施形態に係る音楽再生装置の構成を示すブロック図である。
【図２】ＭＯＳＦＥＴを設けていない状態での測定結果を示したグラフである（ＥＭＣ測定条件）。
【図３】ＭＯＳＦＥＴを設け、ＭＯＳＦＥＴをオフした状態での測定結果を示したグラフである（ＥＭＣ測定条件）。
【図４】ＭＯＳＦＥＴを設け、ＭＯＳＦＥＴをオフした状態での測定結果を示したグラフである（通常使用想定）。
【図５】ＭＯＳＦＥＴを設け、ＭＯＳＦＥＴをオンした状態での測定結果を示したグラフである（ＥＭＣ測定条件）。
【図６】従来の音楽再生装置の構成を示すブロック図である。
【発明を実施するための形態】
【００１８】
以下、本発明の実施形態について説明する。図１は、本発明の実施形態に係る音楽再生装置の構成を示すブロック図である。図１に示すように、音楽再生装置１は、マイクロコンピューター２と、ボリュームＩＣ３と、デジタルアンプ４と、スピーカー端子５と、コンデンサ６、７と、ＭＯＳＦＥＴ８、９と、を備える。
【００１９】
マイクロコンピューター２（制御部）は、音楽再生装置１を構成する各部を制御する。ボリュームＩＣ３は、音声信号のボリューム（音量）を調整する。ボリュームＩＣ３によりボリュームが調整された音声信号は、デジタルアンプ４に出力される。デジタルアンプ４（増幅部）は、音声信号を増幅する。デジタルアンプ４により増幅された音声信号は、スピーカー端子５に出力される。スピーカー端子５には、図示しないスピーカーが接続されている。スピーカーは、音声信号に基づいて、音声を再生する。
【００２０】
コンデンサ６、７は、アナログ音声信号ラインと、シャーシグラウンド（基準電位）と、の間に接続されている。ＭＯＳＦＥＴ８、９（スイッチ）は、ｎ型のＭＯＳＦＥＴである。ＭＯＳＦＥＴ８は、コンデンサ６とシャーシグラウンドとの間に接続されている。ＭＯＳＦＥＴ９は、コンデンサ７とシャーシグラウンドとの間に接続されている。また、ＭＯＳＦＥＴ８、９のゲートは、マイクロコンピューター２に接続されている。
【００２１】
マイクロコンピューター２は、ボリュームＩＣ３に設定するボリュームを、図示しない操作部を介して、受け付ける。マイクロコンピューター２は、受け付けたボリュームが、所定の閾値未満である場合、すなわち、出力するボリュームが小さい場合、ＭＯＳＦＥＴ８、９をオフする。この場合、マイクロコンピューター２は、ＭＯＳＦＥＴ８、９のゲートの電位をローとする。また、マイクロコンピューター２は、受け付けたボリュームが、所定の閾値以上である場合、すなわち、出力するボリュームが大きい場合、ＭＯＳＦＥＴ８、９をオンする。この場合、マイクロコンピューター２は、ＭＯＳＦＥＴ８、９のゲートの電位をハイとする。
【００２２】
例えば、ボリュームが小さい間は、ノイズの輻射が少なく規格値以内である。しかし、ボリュームが大きくなるほど、ノイズの輻射が多くなり、規格値をオーバーする。このため、マイクロコンピューター２は、規格値をオーバーし始めるボリュームから、ＭＯＳＦＥＴ８、９をオンする。
【００２３】
ここでは、ボリュームの大小において、マイクロコンピューター２は、ＭＯＳＦＥＴ８、９をオン／オフするようになっているが、デジタルアンプ４からの出力レベルに応じて、ＭＯＳＦＥＴ８、９をオン／オフするようになっていてもよい。マイクロコンピューター２は、デジタルアンプ４からの出力レベルを検出し、検出した出力レベルが、所定の閾値未満である場合、すなわち、出力レベルが小さい場合、ＭＯＳＦＥＴ８、９をオフする。この場合、マイクロコンピューター２は、ＭＯＳＦＥＴ８、９のゲートの電位をローとする。また、マイクロコンピューター２は、検出した出力レベルが、所定の閾値以上である場合、すなわち、出力するレベルが大きい場合、ＭＯＳＦＥＴ８、９をオンする。この場合、マイクロコンピューター２は、ＭＯＳＦＥＴ８、９のゲートの電位をハイとする。
【００２４】
なお、ＥＭＣ対策用のコンデンサは、ＭＯＳＦＥＴを介することで、コンデンサの効き目が弱くなる。このため、ＥＭＣの抑えたいレベルに応じて、低いオン抵抗のＭＯＳＦＥＴを使用する必要がある。
【００２５】
図２は、ＭＯＳＦＥＴを設けていない状態での測定結果を示したグラフである。縦軸は、出力レベル［ｄＢ（μＶ／ｍ）］、横軸は、周波数［ＭＨｚ］を示している。ボリュームは、３６（１ｋＨｚ、０ｄＢ再生）であり、これは、ＥＭＣ測定条件である定格の１／８パワーである。図３は、ＭＯＳＦＥＴを設け、ＭＯＳＦＥＴをオフした状態での測定結果を示したグラフである。縦軸は、出力レベル［ｄＢ（μＶ／ｍ）］、横軸は、周波数［ＭＨｚ］を示している。ボリュームは、３６（１ｋＨｚ、０ｄＢ再生）であり、これは、ＥＭＣ測定条件である定格の１／８パワーである。ＭＯＳＦＥＴ８、９をオフし、コンデンサ６、７を使用していないため、図２と比べて、１０ｄＢ程度悪化している。
【００２６】
図４は、ＭＯＳＦＥＴを設け、ＭＯＳＦＥＴをオフした状態での測定結果を示したグラフである。縦軸は、出力レベル［ｄＢ（μＶ／ｍ）］、横軸は、周波数［ＭＨｚ］を示している。ボリュームは、２０（１ｋＨｚ、０ｄＢ再生）であり、これは、通常のユーザーの部屋での使用時のボリュームを想定した条件である。図示するように、ＭＯＳＦＥＴ８、９をオフし、コンデンサ６、７を使用していない状態でも、ボリュームが小さければ、規格値以内のレベルになる。
【００２７】
図５は、ＭＯＳＦＥＴを設け、ＭＯＳＦＥＴをオンした状態での測定結果を示したグラフである。縦軸は、出力レベル［ｄＢ（μＶ／ｍ）］、横軸は、周波数［ＭＨｚ］を示している。ボリュームは、３６（１ｋＨｚ、０ｄＢ再生）であり、これは、ＥＭＣ測定条件である定格の１／８パワーである。ＭＯＳＦＥＴ８、９をオンし、コンデンサ６、７を使用した状態では、ＥＭＣ測定条件（定格の１／８パワー）でも、規格値以内のレベルとなる。
【００２８】
以上説明したように、本実施形態では、マイクロコンピューター２は、出力するボリューム（音量）が小さい場合、ＭＯＳＦＥＴ８、９をオフする。これにより、アナログ音声信号ラインとシャーシグラウンド（基準電位）との間に接続されたコンデンサ６、７が使用されないため、音質が悪化することがない。
【００２９】
また、本実施形態では、マイクロコンピューター２は、出力する音量が大きい場合、ＭＯＳＦＥＴ８、９をオンする。これにより、アナログ音声信号ラインとシャーシグラウンド（基準電位）との間に接続されたコンデンサ６、７が使用されるため、アナログ音声信号ラインから、高周波ノイズが放射することが防止される。
【００３０】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００３１】
上述の実施形態においては、スイ、チとして、ＭＯＳＦＥＴが用いられている。これに限らず、スイッチとして、例えば、リレーが用いられてもよい。この場合も、マイクロコンピューターは、リレーのオン／オフを制御する。
【産業上の利用可能性】
【００３２】
本発明は、音楽を再生する音楽再生装置に関する。
【符号の説明】
【００３３】
１  音楽再生装置
２  マイクロコンピューター（制御部）
３  ボリュームＩＣ
４  デジタルアンプ（増幅部）
５  スピーカー端子
６、７  コンデンサ
８、９  ＭＯＳＦＥＴ（スイッチ）
【図１】
2020005133.tif 000003
【図２】
2020005133.tif 000004
【図３】
2020005133.tif 000005
【図４】
2020005133.tif 000006
【図５】
2020005133.tif 000007
【図６】
2020005133.tif 000008